(57)【要約】【課題】  加入者系伝送装置に関し、従来のＭＵＸ／ＤＭＵＸインタフェースおよび布線に対して互換性を保ちつつ、３ＤＳ０ＴＤＭと４：１ＴＤＭのいずれのＩＳＤＮ交換機にも対応できる加入者系伝送装置を提供することを目的とする。【解決手段】  ４：１時分割多重方式を採用するデジタル交換機とインタフェースする交換機側インタフェース部で、該デジタル交換機との間で送受する信号を主信号とＥＯＣ信号とに分離して、該ＥＯＣ信号を該主信号とは別の経路で処理するＥＯＣパス処理部を設けた加入者系伝送装置において、各種のデジタル交換機の仕様に各々対応した複数の交換機設定情報を予め持ち、該ＥＯＣパス処理部に、接続するデジタル交換機の種類に応じて、当該デジタル交換機の仕様に対応した交換機設定情報を該複数の交換機設定情報のうちから選択して設定できる交換機設定情報の選択設定手段を設けたものである。【選択図】図３
2006025466.tif 000002
【特許請求の範囲】
【請求項１】
４：１時分割多重方式を採用するデジタル交換機と接続されるとともに、複数の加入者端末を収容する加入者系伝送装置において、
各種のデジタル交換機の仕様に各々対応した複数の、アラーム制御方法に関する加入者系交換機設定情報を予め持ち、加入者端末とインタフェースする加入者側インタフェース部に、各加入者端末毎に、その接続する加入者端末が利用するデジタル交換機の種類に応じて当該デジタル交換機の仕様に対応した加入者系交換機設定情報を該複数の加入者系交換機設定情報のうちから選択して設定できる加入者系交換機設定情報の選択設定手段を設けたことを特徴とする加入者系伝送装置。
【請求項２】
該加入者側インタフェース部は、ＩＳＤＮのＥＯＣ／ｅｏｃ変換機能を有している請求項１記載の加入者系伝送装置。
【請求項３】
該加入者側インタフェース部は、ＩＳＤＮのＥＯＣ／Ｉ−ビット変換機能を有している請求項１記載の加入者系伝送装置。
【請求項４】
該加入者側インタフェース部からの信号を伝送装置内部にてクロスコネクトするクロスコネクト部は、４：１時分割多重方式と３ＤＳ０時分割多重方式の切替えを加入者単位で行う機能を有している請求項１記載の加入者系伝送装置。
【請求項５】
該加入者側インタフェース部からの信号を伝送装置内部にてクロスコネクトするクロスコネクト部は、サービス状態およびプロビジョニングを遠隔操作にて設定できる機能を有している請求項１記載の加入者系伝送装置。
【請求項６】
該加入者側インタフェース部からの信号を伝送装置内部にてクロスコネクトするクロスコネクト部は、各加入者を任意の交換機の任意の加入者番号にクロスコネクトする機能を有している請求項１記載の加入者系伝送装置。
【請求項７】
ＵＤＬＣタイプの交換機と接続するためのＵＤＬＣ接続機能を備え、接続する交換機がＵＤＬＣタイプである場合にその交換機側インタフェース部をＵＤＬＣ接続機能に切り替えるように構成した請求項１〜６のいずれかに記載の加入者系伝送装置。
【発明の詳細な説明】
【技術分野】
【０００１】
本発明は、ＩＤＬＣタイプやＵＤＬＣタイプのどの交換機にも、また種々のベンダーの交換機に対しても接続できるインタフェースを有する加入者系伝送装置に関するものである。
【背景技術】
【０００２】
図１５にはＵＤＬＣ（Universal Digital Loop Carrier) ネットワーク構成のリモート局交換システムが示され、また、図１６にはＩＤＬＣ（Integrated Digital Loop Carrier)ネットワーク構成のリモート局交換システムが示される。
【０００３】
図１５に示すＵＤＬＣネットワーク構成のリモート局交換システムは、接続する交換機がアナログ交換機の場合のものであり、図中のリモート局（ＲＴ）を構成する加入者系伝送装置１は、アナログ交換機４から遠く離れた地域（ＣＳＡ：Carrier Service Area) に散在する加入者端末を収容し、光ファイバ伝送路を介して効率よくアナログ交換機４に接続するための装置である。このＵＤＬＣネットワーク構成の１つの形態は、加入者系伝送装置１を、光ファイバ伝送路、光信号での多重／分離機能を持つ光伝送装置９、電気信号での多重／分離機能を持つ伝送装置８を介して、アナログ交換機４に接続する構成をとる。また他の形態は、加入者系伝送装置１を光ファイバ伝送路、光信号での多重／分離機能を持つセンタ局（ＣＯＴ）系伝送装置５を介してアナログ交換機４に接続する構成をとる。
【０００４】
一方、図１６に示すＩＤＬＣネットワーク構成のリモート局交換システムは、接続する交換機がデジタル交換機の場合のものであり、その１つの形態は、加入者系伝送装置１を、光ファイバ伝送路、光信号での多重／分離機能を持つ光伝送装置９を介して、ＴＲ０８型のデジタル交換機３に接続する構成をとる。また他の形態は、加入者系伝送装置１を光ファイバ伝送路、光伝送装置９を介してＴＲ３０３型のデジタル交換機２に接続する構成をとる。前者の形態はシグナリングを加入者線に入れて伝送する方式、後者の形態はシグナリングを別のパスを通して伝送する方式であるが、いずれの形態も、ＵＤＬＣネットワーク構成で必要であった電気信号での多重／分離を行う伝送装置８を不要にできる。
【０００５】
このアナログ交換機４およびデジタル交換機２、３に対向する加入者系伝送装置１は、ＩＳＤＮの加入者端末を収容するものである。このＩＳＤＮの多重化方式について以下に説明する。
【０００６】
〔ＩＳＤＮの多重化方式〕
デジタル加入者線（ＤＳＬ：Digital Subscriber Line ）上のＵ点では、
・６４ｋbps Ｂ１，Ｂ２チャネル（データチャネル）
・１６ｋbps のＤチャネル（データチャネル）
・同期ワード
・Ｍチャネル（保守用チャネル）
１．ｃｒｃ（cyclic redundancy check ）ビット
２. ｆｅｂｅ（far end block error ）ビット
３．ｅｏｃ（embedded operation channel）ビット
４．Ｉ（Indicator ：インジケータ）ビット
の各信号が提供されている。
【０００７】
例えば図１７に示す従来のＵＤＬＣのシステム構成の場合、Ｕ点（交換機とＣＯＴ間インタフェース）を介して受信した２Ｂ＋Ｄ信号およびＭチャネル信号を多重化して、リモート局（ＲＴ）側の加入者系伝送装置１に送信し、加入者系伝送装置１にてそれらの信号を多重分離化してＵ点（リモート局ＲＴとＮＴ１装置６の間のインタフェース）に送出するという処理を行っている。また、逆方向も同様である。
【０００８】
これらの信号は、デジタル・ファシリティ（digital facility）上でＤＳ０（６４ｋbps ）単位で多重化されていくが、この多重化の方式には  (1) ３ＤＳ０時分割多重（ＴＤＭ：Time Division Multiplexing）  (2) ４：１時分割多重（ＴＤＭ：Time Division Multiplexing）の２種類がある。
【０００９】
〔３ＤＳ０時分割多重方式〕
３ＤＳ０時分割多重方式は、デジタル加入者線（ＤＳＬ）上の２Ｂ＋Ｄを一次群に多重するために３つのＤＳ０を使用する方式である。ＤＳ０の割当てとしては、
Ｂ１チャネル    →      ＤＳ０（Ｂ１）
Ｂ２チャネル    →      ＤＳ０（Ｂ２）
Ｄチャネル、Ｍチャネル→ＤＳ０（Ｄ＋）
として、このＤＳ０（Ｂ１）、ＤＳ０（Ｂ２）、ＤＳ０（Ｄ＋）で３ＤＳ０とする。
【００１０】
ＤチャネルとＭチャネルに割り当てられたＤＳ０はＤ＋バイトと呼ばれている。従来のＩＳＤＮ交換機は、３ＤＳ０時分割多重方式が用いられており、３つのＤＳ０タイムスロツトはデジタル・ファシリティ上に常時割り当てられている。
【００１１】
〔４：１時分割多重方式〕
４：１時分割多重方式は、デジタル加入者線（ＤＳＬ）上の２Ｂ＋Ｄを一次群に多重するために、Ｂ１，Ｂ２チャネルを２つのＤＳ０に割り当て、４つのＤチャネルを１つのＤＳ０に割り当てる方式である。ＤＳ０の割当てとしては、
Ｂ１チャネル───────────────────→  ＤＳ０
Ｂ２チャネル───────────────────→  ＤＳ０
Ｄチャネル（自ＤＳＬ：２ビット例えばビット０，１）┐→ＤＳ０
Ｄチャネル（他ＤＳＬ：２ビット例えばビット２，３）│
Ｄチャネル（他ＤＳＬ：２ビット例えばビット４，５）│
Ｄチャネル（他ＤＳＬ：２ビット例えばビット６，７）┘
Ｍチャネル（ｅｏｃ＋Ｉビット）──────────→  ＥＯＣパス
＊ｅｏｃ：enbedded opration channel 、Ｉ：Indicator 
この４：１時分割多重方式の場合、４つのＤチャネルがＤＳ０を全て占有することになるため、保守用のＭチャネルの情報は、ＩＳＤＮチャネル（ＣＨ）カード上でＥＯＣ／ｅｏｃおよびＥＯＣ／Ｉｂｉｔのメッセージ変換を行い、伝送装置の保守用チヤネルであるＥＯＣパス（交換機と加入者系伝送装置の間の制御パス）を通して交換機に伝達しなければならない。
【特許文献１】特開平１１−２３４７７０号公報
【発明の開示】
【発明が解決しようとする課題】
【００１２】
従来、アナログ交換機システムやＴＲ０８型デジタル交換機システムで一般に用いられていた３ＤＳ０時分割多重方式では、ＩＳＤＮの１つのＤチャネルに１つのＤＳ０を割り当てていたが、現在は伝送路の有効利用のため、４つのＤチャネルに１つのＤＳ０を割り当てる４：１時分割多重方式が要求されるようになっており、近年採用されつつあるＴＲ３０３型デジタル交換機システムではこの４：１時分割多重方式を採用している。
【００１３】
この４：１時分割多重方式は、Ｄチャネルを４チヤネル分多重して１つのＤＳ０で伝送するものであるので、その結果として、従来の３ＤＳ０時分割多重方式ではＤ＋バイトで伝送していたＭチャネルが、４：１自分割多重方式ではＤＳ０のスペースが使えなくなったため、ＭチャネルのｅｏｃビットとＩ（インジケータ）ビットをＥＯＣ（交換機と加入者系伝送装置の間の制御パス）に変換して、ＤＳ０とは別のＥＯＣパスを使って交換機・加入者系伝送装置間で伝送しなければならなくなった。
【００１４】
しかし、このＥＯＣパスのために新たなインタフェースを構築すると、従来のチャネル（ＣＨ）カードとの互換性が取れなくなり、また装置全体の構成も新たに再構築しなければならないという問題が生じる。
【００１５】
また、ＴＲ３０３型デジタル交換機をサポートする交換機は、現在種々のメーカにより製造されているが、これら各メーカのＴＲ３０３型デジタル交換機と接続する際には、ＩＳＤＮ加入者線のアラーム情報を、各メーカの交換機毎にそれに対応した通知方式で送信しなければならない。このため、加入者線のアラーム情報を加入者系伝送装置にて管理し、交換機と加入者系伝送装置間の制御パス（ＥＯＣ）を使って通知する必要がある。
【００１６】
ＴＲ３０３デジタル交換機システムでは、上述したとおり、ＩＤＴ（Integrated Digital Terminal ）と接続するため、４：１時分割多重モード機能を採用しており、この４：１時分割多重モードにおいては、ＥＯＣ（Embedded Operation Channel）を通してＴＲ３０３型交換機とリモート局の加入者系伝送装置１間で制御情報をやり取りしているが、ＩＳＤＮに関する規格ＴＲ−３９７には４：１自分割多重モードでのＥＯＣ詳細（ＩＳＤＮ加入者のアラーム通知規格）は明確に規定されていない。このため、現実にはＴＲ３０３型交換機をサポートする各々の交換機メーカーが独自のＩＳＤＮアラーム検出仕様にて交換機を設計している。よって、加入者系伝送装置も交換機メーカ毎にその設計を変える必要があり、汎用性にかけるといった問題がある。
【００１７】
本発明は以上のような諸問題に鑑みてなされたものであり、従来のＭＵＸ／ＤＭＵＸインタフェースおよび布線に対して互換性を保ちつつ、３ＤＳ０時分割多重方式と４：１時分割多重方式のいずれのＩＳＤＮ交換機にも対応できる加入者系伝送装置を提供することを目的とする。
【課題を解決するための手段】
【００１８】
上述の課題を解決するために、本発明に係る加入者系伝送装置は、１つの形態として、４：１時分割多重方式を採用するデジタル交換機とインタフェースする交換機側インタフェース部で、該デジタル交換機との間で送受する信号を主信号とＥＯＣ信号とに分離して処理するＥＯＣパス処理部を設けた加入者系伝送装置において、
各種のデジタル交換機の仕様に各々対応した複数の交換機設定情報（例えばＳＷＯＰＴ：Swich Option：交換機選択機能など）を予め持ち、該ＥＯＣパス処理部に、接続するデジタル交換機の種類に応じて、当該デジタル交換機の仕様に対応した交換機設定情報を該複数の交換機設定情報のうちから選択して設定できる交換機設定情報の選択設定手段を設けたものである。
【００１９】
この加入者系伝送装置では、交換機設定情報の選択設定手段によって、接続するデジタル交換機の種類に応じて、当該デジタル交換機の仕様に対応した交換機設定情報を該複数の交換機設定情報のうちから選択して設定する。これにより、各種のデジタル交換機の仕様に対応することができ、いずれの種類のデジタル交換機にも対向（接続）できるようになる。
【００２０】
また、本発明に係る加入者系伝送装置は、他の形態として、４：１時分割多重方式を採用するデジタル交換機と接続されるとともに、複数の加入者端末を収容する加入者系伝送装置において、
各種のデジタル交換機の仕様に各々対応した複数の、アラーム制御方法に関する加入者系交換機設定情報を予め持ち、加入者端末とインタフェースする加入者側インタフェース部に、各加入者端末毎に、その接続する加入者端末が利用するデジタル交換機の種類に応じて当該デジタル交換機の仕様に対応した加入者系交換機設定情報を該複数の加入者系交換機設定情報のうちから選択して設定できる加入者系交換機設定情報の選択設定手段を設けたものである。
【００２１】
この加入者系伝送装置では、加入者系交換機設定情報の選択設定手段によって、接続する加入者端末が利用するネットワークのデジタル交換機の種類に応じて、当該デジタル交換機の仕様に対応した加入者系交換機設定情報を該複数の加入者系交換機設定情報のうちから選択して設定する。
【００２２】
これにより、加入者が利用しているネットワークが何であっても、それらのネットワークで採用している各種のデジタル交換機の仕様に対応することができ、いずれのネットワークを利用しているユーザであっても、この加入者系伝送装置に収容することができる。
【発明の効果】
【００２３】
本発明によれば、４：１時分割多重方式を用いる交換機に接続するためにモジュール交換等の作業を必要とせず、ＥＯＣインタフェース部、４：１ＴＤＭクロスコネクト部、ＥＯＣ／ｅｏｃおよびＥＯＣ／Ｉｂｉｔ変換部の追加などの比較的簡単な変更で、従来の３ＤＳ０時分割多重方式のサービスに加えて、全ての４：１時分割多重方式のデジタル交換機と接続してＩＳＤＮサービスが実施できる効果がある。
【００２４】
更に、ＭＵＸ／ＤＭＵＸインタフェース、Ｕ点インタフェースおよび布線は従来と同一にすることにより、既存のサービスに影響を与えることなく、比較的小さな変更で４：１時分割多重方式の交換機に対向できる。
【発明を実施するための最良の形態】
【００２５】
以下、図面を参照して本発明の実施の形態を説明する。
第１図は本発明の一実施例としての加入者系伝送装置を含むＩＤＬＣのシステム構成を示す。図中、１は加入者系伝送装置であり、ＤＳ１のインタフェースにより光ファイバ伝送路を介して各ベンダーＡ、Ｂ、ＣのＴＲ３０３型デジタル交換機２Ａ、２Ｂ、２Ｃに接続するとともに、光ファイバ伝送路とセンタ局系伝送装置５を介して各ベンダーａ、ｂ、ｃのアナログ交換機４ａ、４ｂ、４ｃに接続している。
【００２６】
また、加入者系伝送装置１は複数のＩＳＤＮ加入者端末７をそれぞれＮＴ１（網終端装置１）装置６を介して収容している。これらの加入者端末７の各ユーザは、各々独自のベンダーの交換機を採用する事業者ネットワークにそれぞれ加盟しており、これらのユーザが発着信する場合には自身が加盟している事業者ネットワークの交換機と接続することになる。
【００２７】
また、加入者系伝送装置１に接続された制御卓１０はパーソナルコンピュータからなり、加入者系伝送装置１の交換機選択機能（Switch Option ）などの各種設定を行うことができる。
【００２８】
このように、この加入者系伝送装置１は、ＩＤＴ（Integrated Digital Terminal ）とのインタフェース（ＤＳ１）を設け、またその内部にＥＯＣインタフェース部、３ＤＳ０時分割多重方式と４：１時分割多重方式とを切替え可能なクロスコネクト部を設けることにより４：１時分割多重方式のＩＤＬＣ構成をとることができるようにしている。また、３ＤＳ０方式のシステムに４：１時分割多重方式を追加した構成ともなっており、ＯＳからの制御により３ＤＳ０自分割多重／４：１時分割多重モードを切り替えられるモード切替え部を設けることにより、同一システムにおいて３ＤＳ０時分割多重方式の交換機と４：１時分割多重方式の交換機のいずれにも接続できるようになっている。
【００２９】
図２は、この実施例の加入者系伝送装置１について４：１時分割多重モード時のＥＯＣパスを説明するためにその要部ブロック構成を示した図である。図示するように、加入者系伝送装置１は大まかには共通シェル（ＣＭＳ：Common Shell）１１とナローバンドシェル（ＮＢＳ：Narrow Band Shell ）１２からなり、共通シェル１１は、ＨＣｌＡ／ＨＯ１０ユニツト、ＴＳｌＡユニツト、ＭＣｌＯユニツトなどからなる多重／分離カード１３、ＴＳ１Ｃユニットなどからなるクロスコネクトカード１４、ＥＰｌＣユニットなどからなるＳＷインタフェースユニット１５、ＥＭ１ＣユニツトなどからなるＥＯＣ制御カード１６を含み構成される。
【００３０】
また、ナローバンドシェル１２は共通シェル１１のクロスコネクトカード１４に並列的に１０組接続されており、各ナローバンドシェル１２は多重／分離カード１７と４８枚のＩＳＤＮチャネルカード１８からなる。ＩＳＤＮチャネルカード１８は各々２チャネルを有しており、各チャネルにはＮＴ１装置６を介して加入者端末（ＴＥ）７が接続される。つまり、この加入者系伝送装置１は都合９８０チャネル分の加入者端末を収容できる。
【００３１】
共通シェル１１の光ファイバ伝送路側はＯＣ３／ＯＣ１２、ＯＣ３／Ｄ３／ＳＴＳ１、あるいはＤＳ１の各インタフェースにより多重／分離カード１３に接続される。多重／分離カード１３で分離された主信号（２Ｂ＋Ｄ）は４：１時分割多重方式選択時のクロスコネクトカード１４に入力されるとともに、逆方向には、クロスコネクトカード１４で多重化された主信号（２Ｂ＋Ｄ）が多重／分離カード１３に入力される。
【００３２】
また、多重／分離カード１３で多重／分離されたＥＯＣ信号はＳＷインタフェースカード１５とＥＯＣ制御カード１６を介して内部ＥＯＣとされてクロスコネクトカード１４に入力されるとともに、逆方向には、クロスコネクトカード１４で多重化された内部ＥＯＣはＥＯＣ制御カード１６、ＳＷインタフェースカード１５を介して多重／分離カード１３に入力される。
【００３３】
ＩＳＤＮチャネルカード１２内では、ＥＯＣ／ｅｏｃ変換処理およびＥＯＣ／Ｉビット変換処理を行い、Ｕ点インタフェースに２Ｂ＋ＤおよびＭチャネルを送受信する。
このように、４：１時分割多重モード時のＥＯＣパスを示した図２において、ＯＣ３／ＯＣ１２から送受信される信号は、多重／分離カード１３を介してクロスコネクトカード１４に送受信されるが、４：１時分割多重モード時のＥＯＣ（ｅｏｃビット＋Ｉビットなど）については、多重／分離カード１３からＳＷインタフェースカード１５にてインタフェースし、さらにＳＷインタフェースカード１５にてＥＯＣ制御を行い、各ＩＳＤＮチャネルカード１２に内部ＥＯＣを送受信する。
【００３４】
この加入者系伝送装置１を用いた交換システムでは、図１に示す通り、ＴＲ３０３型デジタル交換機２に接続する場合は、従来のセンタ局（ＣＯＴ）伝送装置５は不要となり、加入者系伝送装置１からＤＳ１等のインタフェースにてＴＲ３０３型デジタル交換機２に接続する。このとき、接続するＴＲ３０３型デジタル交換機２の各ベンダー毎にインタフェース仕様（ＩＳＤＮアラーム検出）が異なるため、ＴＲ３０３型デジタル交換機のタイプに応じてＩＳＤＮアラーム通知方式を変更している。
【００３５】
そのために、加入者系伝送装置１に接続した制御卓１０から所望の交換機設定ＳＷＯＰＴ（Switch Option ：交換機選択機能) を設定し、各交換機に対応したＩＳＤＮアラーム通知を行うようにする。この交換機設定ＳＷＯＰＴは、本加入者系伝送装置１では、Ａ社，Ｃ社＝ＳＷＯＰＴ１、Ｂ社＝ＳＷＯＰＴ２とその設定情報が定義してあり、ＳＷＯＰＴ設定部として機能する制御卓１０から、ＳＷインタフェースカード１５、ＥＯＣ制御カード１６、ＩＳＤＮチャネルカード１８に、その加入者を接続する交換機に応じて必要情報を設定することができる。
また、交換機設定ＳＷＯＰＴ３は現状で対応ベンダーがないため使用されていないが、本不具合を対応する前のソフトウェアの仕様で動作するようにして、ＥＭｌＣユニットのみ更新された装置において、動作異常が発生しないようにバックワード・コンパビリティを確保している。
【００３６】
図３は加入者系伝送装置１の交換機設定ＳＷＯＰＴの設定に関わる部分を特に詳細に示したブロック構成図であり、全ての交換機と接続した場合のアラーム制御方法を示したものである。図中、２ＡはＡ社製のＴＲ３０３型デジタル交換機（ＳＷ１）であり、加入者系伝送装置１とＤＳ１にて接続され、その交換機設定情報はＳＷＯＰＴ１である。２ＢはＢ社製のＴＲ３０３型デジタル交換機（ＳＷ２）であり、加入者系伝送装置１とＯＣ３にて接続され、その交換機設定情報はＳＷＯＰＴ２である。また、２ＣはＣ社製のＴＲ３０３型デジタル交換機（ＳＷ３）であり、加入者系伝送装置１とＯＣ１２にて接続され、その交換機設定情報はＳＷＯＰＴ１である。
【００３７】
加入者系伝送装置１内のＳＷインタフェースユニット１５は、接続するＴＲ３０３型デジタル交換機の下図に対応して３つのＳＷインタフェース部１５１〜１５３を持つ。各ＳＷインタフェース部１５１〜１５３は、ＳＷＯＰＴ設定部１０により、それぞれ交換機設定ＳＷＯＰＴ１，ＳＷＯＰＴ２，ＳＷＯＰＴ３のいずれかに設定可能である。この例では、Ａ、Ｃ社製の交換機２Ａ、２Ｃに接続しているＳＷインタフェース部１５１、１５３はＳＷＯＰＴｌに設定してあり、Ｂ社製の交換機２Ｂに接続しているＳＷインタフェース部１５２はＳＷＯＰＴ２に設定している。
【００３８】
このＳＷインタフェース部１５１〜１５３は、各ベンダーのＴＲ３０３型デジタル交換機の仕様にそれぞれ対応した後述のいわば言語変換に相当する変換を行うものである。
ＥＯＣ制御カード１６には３つのＥＯＣ制御部１６１〜１６３が設けてあり、各ＥＯＣ制御部１６１〜１６３はＳＷインタフェースカード１５の各ＳＷインタフェース部１５１〜１５３にそれぞれ対応付けられており、ＳＷＯＰＴ設定部１０により設定された対応ＳＷインタフェース部の交換機設定に合わせて、それぞれ交換機設定ＳＷＯＰＴ１，ＳＷＯＰＴ２，ＳＷＯＰＴ３のいずれかに設定される。例えばこの図３の実施例の場合、ＥＯＣ制御部１６１は、ＳＷＯＰＴ設定部１０より交換機設定ＳＷＯＰＴ１に設定されたＳＷインタフェース部１５１に合わせて交換機設定ＳＷＯＰＴ１が設定され、このＳＷインタフェース部１５１からＥＯＣ終端部１６４を介してＥＯＣを制御する。またこのＥＯＣ制御部１６１は内部ＥＯＣ送受信部１６５を介して、ＩＳＤＮチャネルカード１８との間で内部ＥＯＣの送受信を行う。
【００３９】
このＥＯＣ制御部１６１〜１６３は各ベンダーのＴＲ３０３型デジタル交換機の仕様にそれぞれ対応した後述のいわばアラーム方式の形式変換を行うものである。
ＥＯＣ制御カード１６とＩＳＤＮチャネルカード１８との間にはクロスコネクトカード１４があり、Ｔ０のクロスコネクトを行う。このクロスコネクトカード１４は、制御卓１０からの遠隔操作により４：１時分割多重方式と３ＤＳ０時分割多重方式の切替えを加入者単位で行う機能、各加入者を任意の交換機の任意の加入者番号にクロスコネクトする機能、およびサービス状態（例えばＢ１、Ｂ２チャネルの使用／不使用など）やプロビジョニング（４：１ＴＤＭや３ＤＳ０ＴＤＭの設定など）を遠隔操作にて設定できる機能を有している。
【００４０】
ＩＳＤＮチャネルカード１８は、１カード当たりに２チャネルを持っており、各チャネルはＮＴ１装置６を介して加入者端末（ＴＥ）７に接続される。各ＩＳＤＮチャネルカード１８の各チャネルＣＨは、３つのアラーム制御部１８１〜１８３、内部ＥＯＣ送受信部１８４、Ｕ点終端部１８５などからなる。３つのアラーム制御部１８１〜１８３には、各交換機設定ＳＷＯＰＴ１〜ＳＷＯＰＴ３がそれぞれ設定されている。また、内部ＥＯＣ送受信部１８４は、ＩＳＤＮのＥＯＣ／ｅｏｃ変換機能およびＥＯＣ／Ｉ（インジケータ）ビット変換機能を有している。
【００４１】
図４はＵ点終端部の構成例を示すものであり、ＮＴ１装置６との接続インタフェース部分であるＵ点の同期外れ状態を検出するＵ点同期外れ検出部１８５１、ＮＴ１装置６の電源断の状態を検出するＮＴ１電源断検出部１８５２、ＮＴ１装置６によるＴ点同期外れ検出状態を検出するＴ点同期外れ検出部１８５３、アラーム制御部１８１〜１８３のいずれかに選択切替えするアラーム制御部切換え部１８５４を含み構成される。
【００４２】
このアラーム制御部切替え部１８５４は、アラーム制御部１８１〜１８３のうちの、そのチャネルＣＨのユーザが加盟しているネットワークの採用しているＴＲ３０３型デジタル交換機の交換機設定ＳＷＯＰＴが設定されているアラーム制御部に半固定的に接続されている。
【００４３】
この図３の実施例では、ＩＳＤＮチャネルカード１８のチャネルＣＨ１は、そのユーザがＡ社のＴＲ３０３型デジタル交換機２Ａを採用する事業者ネットワークに加盟しているので、このチャネルＣＨ１をＴＲ３０３型デジタル交換機２Ａに接続するため、制御卓１０によりクロスコネクトカード１４にその接続設定を行う。この接続設定が行われると、チャネルＣＨ１は交換機設定ＳＷＯＰＴ１のアラーム制御を行うようにＥＯＣ制御カード１６から設定される。
【００４４】
図５〜図７にはＩＳＤＮチャネルカード１８における各交換機ベンダーに対する各交換機設定（ＳＷＯＰＴ）に応じて送出するＩＳＤＮアラーム通知コマンドおよびその値が示される。ここで、図５はアラームの状態がＵ点同期外れの場合のもの、図６はＮＴ１電源断の場合のもの、図７はＴ点同期外れの場合のものである。
【００４５】
ここで、各交換機ベンダーのうちＡ社とＣ社についてはＳＷＯＰＴ＝１の通知コマンドにより対応し、Ｂ社についてはＳＷＯＰＴ＝２の通知コマンドで対応する。また、ＳＷＯＰＴ＝３は現状で対応ベンダーがないため使用されていないが、本不具合を対応する前のソフトウェアの仕様で動作するようにして、ＥＭｌＣユニットのみ更新された装置において、動作異常が発生しないようにバックワード・コンパビリティを確保している。また、ここに記述したのは、加入者系伝送装置１が交換機２に送出するＥＯＣレポートであり、ＬＴＯＨとＮＴＯＨはそれぞれＵ点の下り方向ｍビット（ｍ−ｂｉｔ）（ＬＴＯＨ）と上り方向ｍビット（ＮＴＯＨ）のことである。
【００４６】
図５のＵ点同期外れの場合、交換機設定がＡ社対応のＳＷＯＰＴ１であれば、「アラーム状態変化レポート」を送出し、
ＬＴＯＨ＝’0111 1111 111 ’ｂ、
ＮＴＯＨ＝’0000 0000 000 ’ｂ
となる。また交換機設定がＢ社対応のＳＷＯＰＴ２であれば、「アラーム状態変化レポート」と「ＮＴ１オーバヘッド状態変化レポート」を送出し、  ＬＴＯＨ＝’0111 1111 111 ’ｂ、
ＮＴＯＨ＝’000x x101 111 ’ｂ  （ｘはＵ点同期外れ前と同じ値）
となる。また交換機設定が対応ベンダーなしのデフォルト値であるＳＷＯＰＴ３であれば、「アラーム状態変化レポート」を送出し、
ＬＴＯＨ＝’1111 1111 111 ’ｂ、
ＮＴＯＨ＝ＮＴ１装置から受信した値
となる。
【００４７】
このように、Ｕ点同期外れ状態では、Ｕ点終端部内のＵ点同期外れ検出部にてＵ点同期外れを検出し、交換機に対してアラームを通知するのだが、交換機設定ＳＷＯＰＴ１のＡ社とＣ社の交換機は「アラーム状態変化レポート」のみを送出しなければならない。また、ＬＴＯＨのａｃｔビット＝０、ＮＴＯＨは全ビット＝０にしなければならない。また、交換機設定ＳＷＯＰＴ２のＢ社の交換機には「アラーム状態変化レポート」と「ＮＴ１オーバヘッド状態変化レポート」を送出する必要があり、ＬＴＯＨのａｃｔビット＝０、ＮＴＯＨのａｃｔ，ｐｓ１，ｐｓ２，ｓａｉビット＝０にしなければならない。
【００４８】
図６のＮＴ１点同期外れの場合、交換機設定がＡ社対応のＳＷＯＰＴ１であれば、「アラーム状態変化レポート」を送出し、
ＬＴＯＨ＝’0111 1111 111 ’ｂ、
ＮＴＯＨ＝’0000 0000 000 ’ｂ
となる。また交換機設定がＢ社対応のＳＷＯＰＴ２であれば、「アラーム状態変化レポート」と「ＮＴ１オーバヘッド変化レポート」を送出し、
ＬＴＯＨ＝’0111 1111 111 ’ｂ、
ＮＴＯＨ＝’000x x101 111 ’ｂ  （ｘはＮＴ１電源断前と同じ値）
となる。また交換機設定が対応ベンダーなしのデフォルト値であるＳＷＯＰＴ３であれば、「アラーム状態変化レポート」を送出し、
ＬＴＯＨ＝’1111 1111 111 ’ｂ、
ＮＴＯＨ＝ＮＴ１装置から受信した値
となる。
【００４９】
このように、ＮＴ１電源断状態はＵ点同期外れ状態と同じ状態となるため、同じメツセージを送出する。
図７のＴ点同期外れの場合、交換機設定がＡ社対応のＳＷＯＰＴ１であれば、「ＮＴ１オーバヘッド変化レポート」を送出し、
ＬＴＯＨ＝’0111 1111 111 ’ｂ、
ＮＴＯＨ＝’0xxx xxxx xxx ’ｂ  （ｘ：Ｔ点同期外れ前と同じ値) 
となる。また交換機設定がＢ社対応のＳＷＯＰＴ２であれば、「ＮＴ１オーバヘッド変化レポート」を送出し、
ＬＴＯＨ＝’0111 1111 111 ’ｂ、
ＮＴＯＨ＝’0xxx xx0x xxx ’ｂ  （ｘはＴ点同期外れ前と同じ値）
となる。また交換機設定が対応ベンダーなしのデフォルト値であるＳＷＯＰＴ３であれば、「ＮＴ１オーバヘッド変化レポート」を送出し、
ＬＴＯＨ＝’1111 1111 111 ’ｂ、
ＮＴＯＨ＝ＮＴ１装置から受信した値
となる。
【００５０】
このように、Ｔ点同期外れ状態では、Ｕ点終端部内のＴ点同期外れ検出部にてＴ点同期外れを検出し、交換機に対してアラームを通知するのだが、交換機設定ＳＷＯＰＴ１の交換機はＬＴＯＨのａｃｔビットが“１”、ＮＴＯＨのａｃｔビットが“０”であれば、Ｔ点同期外れを検出するが、交換機設定ＳＷＯＰＴ２の交換機はＬＴＯＨのａｃｔビットが“１”、ＮＴＯＨのａｃｔビットが“０”、ｓａｉビットが“０”にてＴ点同期外れを検出するため、図中に示すような値を送出することにより、交換機にて正しくＴ点同期外れが検出できる
図８〜図１１にはＥＯＣ制御カード１６のＥＯＣ制御部の各交換機設定（ＳＷＯＰＴ）に応じて送出するＩＳＤＮアラーム通知コマンドおよびその値が示され、図８はＩＳＤＮチャネルカード抜けの場合のもの、図９はＵ点同期外れの場合のもの、図１０はアラームの状態がＮＴ１電源断の場合のもの、図１１はＴ点同期外れの場合のものである。
【００５１】
例えば上述の図８のＩＳＤＮチャネルカード抜けの状態の時、交換機設定ＳＷＯＰＴ１では、「ＩＳＤＮ回線終端用のＭイベントレポート」のみを送出すればよいが、ＳＷＯＰＴ＝２設定では、「ＩＳＤＮ回線終端用のＭイベントレポート」に加えて「オーバヘッドビットレポートのＩＳＤＮフレーム化パス終端変化用のＭイベントレポート」を送出しなければならない。「オーバヘッドビットレポートのＩＳＤＮフレーム化パス終端変化用のＭイベントレポート」には、表中のＬＴＯＨ，ＮＴＯＨの情報を含めて送出する。
【００５２】
また、図１２〜図１４にはＳＷインタフェースカード１５のＳＷインタフェース部の各交換機設定（ＳＷＯＰＴ）に応じて送出するＩＳＤＮアラームメッセージ規格が示され、図１２は交換機設定（ＳＷＯＰＴ）がＡ社対応のＳＷＯＰＴ１である場合のＩＳＤＮアラームメッセージを示すもの、図１３は交換機設定（ＳＷＯＰＴ）がＢ社対応のＳＷＯＰＴ２である場合のＩＳＤＮアラームメッセージを示すもの、図１４は交換機設定（ＳＷＯＰＴ）が対応ベンダーなしのデフォルト値であるＳＷＯＰＴ３である場合のＩＳＤＮアラームメッセージを示すものである。
【００５３】
この加入者系伝送装置１は以上のような仕組みにより、以下のように動作する。ここで、ＩＳＤＮチャネルカード１８のチャネルＣＨ１に収容されている加入者端末７はＡ社製のＴＲ３０３型デジタル交換機２Ａを使用する事業者のネットワークに加盟しており、チャネルＣＨ２に収容されている加入者端末７はＢ社製のＴＲ３０３型デジタル交換機２Ｂを使用する事業者のネットワークに加盟しているものとする。したがって、チャネルＣＨ１のＵ点終端部１８５のアラーム制御部切替部１８５４はＡ社交換機の交換機設定ＳＷＯＰＴ１に対応するアラーム制御部１８１を選択するよう切り換えられており、チャネルＣＨ２のＵ点終端部１８５のアラーム制御部切替部１８５４はＢ社交換機の交換機設定ＳＷＯＰＴ２に対応するアラーム制御部１８２を選択するよう切り換えられている。
【００５４】
いま、例えばＩＳＤＮチャネルカード１８が未実装状態に遷移した場合は、ＥＯＣ制御カード１６内のＥＯＣ制御部１６１、１６２がそれぞれチャネルＣＨ１，ＣＨ２が未実装になったことを通知するアラームを、それぞれの交換機設定（ＳＷＯＰＴ）に対応するＴＲ３０３型交換機２Ａ、２Ｂに送出する。
【００５５】
また、ＩＳＤＮチャネルカード１８において、チャネルＣＨ１のＵ点が同期外れ状態に遷移した時には、チャネルＣＨ１のＵ点終端部１８５がＵ点同期外れを検出し、アラーム制御部１８１がＳＷＯＰＴ１の仕様に合うアラーム通知コマンドを内部ＥＯＣ送受信部１８４より、クロスコネクトカード１４、ＥＯＣ制御カード１６、ＳＷインタフェースカード１５を経てＳＷＯＰＴ１に対応するＴＲ３０３型交換機２Ａ側に送出する。また、チャネルＣＨ２のＵ点が同期外れ状態に遷移した時、チャネルＣＨ２のＵ点終端部１８５がＵ点同期外れを検出し、アラーム制御部１８２がＳＷＯＰＴ２の仕様に合うアラーム通知コマンドを内部ＥＯＣ送受信部１８４より、クロスコネクトカード１４、ＥＯＣ制御カード１６、ＳＷインタフェースカード１５を経てＳＷＯＰＴ２に対応するＴＲ３０３型交換機２Ｂ側に送出する。
【００５６】
ＩＳＤＮチャネルカード１８において、チャネルＣＨ１のＴ点が同期外れ状態に遷移した時は、チャネルＣＨ１に接続したＮＴ１装置６がＴ点同期外れ情報をｍビットによりＵ点を通してＩＳＤＮチャネルカード１８のチャネルＣＨ１に通知し、アラーム制御部１８１にて、Ａ社の期待するＴ点同期外れアラーム通知コマンドによってＥＯＣを送出する。
【００５７】
次に、Ｕ点終６部１８５の詳細動作をＵ点終端部を詳細に示した図４を参照して説明する。前述したように、Ｕ点終端部１８５はアラーム制御部切替部１８５４、Ｕ点同期外れ検出部１８５１、ＮＴ１電源断検出部１８５２、Ｔ点同期外れ検出部１８５３を有する。ここで、重要なのがＮＴ１の種類によって、Ｔ点同期外れを通知するｍビットの値が異なるということである。
【００５８】
すなわち、ａｃｔビット＝０で通知するものもあれば、ｓａｉビット＝０で通知するものもあれば、ａｃｔビットとｓａｉビット共に“０”にするものもある。よって、これらすべてのＮＴ１タイプのＴ点同期外れ状態を検出できるように、Ｕ点終端部１８５のＴ点同期外れ検出部１８５３では、ａｃｔビットとｓａｉビットいずれかが“０”になることでＴ点同期外れを検出している。また、このｍビットの値をそのまま交換機に通知すると、交換機はＴ点同期外れを正しく検出できないため、アラーム制御部１８１にてＡ社の交換機が期待するＬＴＯＨ，ＮＴＯＨの値に変換して、ＥＯＣアラームレポートを送出している。これにより、どのタイプのＮＴ１がＩＳＤＮチャネルカードに接続されても、全てのタイプの交換機に正しいＴ点同期外れ通知を行うことができるのである。
【００５９】
なお、上述の説明ではこの加入者系伝送装置１に接続（すなわち対向）している交換機はＴＲ３０３型デジタル交換機である場合について述べたが、加入者端末が加盟しているネットワーク業者の交換機がＴＲ０８型デジタル交換機である場合にはＴＲ０８型交換機モードで接続を行い、アナログ交換機である場合にはアナログ交換機モードで接続を行う。
【００６０】
ＴＲ０８型交換機モードの接続では、加入者系伝送装置１内のＳＷインタフェースカード１５、ＥＯＣ制御カード１６は用いず、ＴＲ０８型デジタル交換機側の信号を多重／分離カード１３から３ＤＳ０時分割多重方式に切り替えたクロスコネクトカード１４に接続するものとする。また、ＩＳＤＮチャネルカード１８内のアラーム制御部は、図示しないが、ＴＲ０８型デジタル交換機に応じた仕様の１種類のアラーム制御部とする。
【００６１】
アナログ交換機モードの接続では、加入者端末７のＮＴ１装置６をＩＳＤＮチャネルカード１８内のＵ点終端部１８５を経てそのまま３ＤＳ０時分割多重方式に切り替えたクロスコネクトカード１４に接続し（すなわちアラーム制御部と内部ＥＯＣ送受信部は除く）、クロスコネクトカード１４からアナログ交換機用の多重／分離部１９を経て、光ファイバ伝送路経由でセンタ局側伝送装置５に接続する。
【図面の簡単な説明】
【００６２】
【図１】本発明の一実施例としての加入者系伝送装置を含むＩＤＬＣのシステム構成を示す図である。
【図２】この実施例の加入者系伝送装置について４：１時分割多重モード時のＥＯＣパスを説明するためにその要部ブロック構成を示した図である。
【図３】この実施例の加入者系伝送装置の交換機設定（ＳＷＯＰＴ）の設定に関わる部分（すべての交換機と接続した場合のアラーム制御方法に関わる部分）を示したブロック構成図である。
【図４】この実施例の加入者系伝送装置におけるＵゅ点終端部の詳細な構成を示した図である。
【図５】実施例のＩＳＤＮチャネルカードにおける各交換機ベンダーに対する各交換機設定（ＳＷＯＰＴ）に応じて送出するＩＳＤＮアラーム通知コマンドおよびその値を、そのアラーム状態がＵ点同期外れの場合について示す図である。
【図６】実施例のＩＳＤＮチャネルカードにおける各交換機ベンダーに対する各交換機設定（ＳＷＯＰＴ）に応じて送出するＩＳＤＮアラーム通知コマンドおよびその値を、そのアラーム状態がＮＴ１電源断の場合について示す図である。
【図７】実施例のＩＳＤＮチャネルカードにおける各交換機ベンダーに対する各交換機設定（ＳＷＯＰＴ）に応じて送出するＩＳＤＮアラーム通知コマンドおよびその値を、そのアラーム状態がＴ点同期外れの場合について示す図である。
【図８】実施例のＥＯＣ制御カードのＥＯＣ制御部の各交換機設定（ＳＷＯＰＴ）に応じて送出するＩＳＤＮアラーム通知コマンドおよびその値を、ＩＳＤＮチャネルカード抜けの場合について示す図である。
【図９】実施例のＥＯＣ制御カードのＥＯＣ制御部の各交換機設定（ＳＷＯＰＴ）に応じて送出するＩＳＤＮアラーム通知コマンドおよびその値を、Ｕ点同期外れの場合について示す図である。
【図１０】実施例のＥＯＣ制御カードのＥＯＣ制御部の各交換機設定（ＳＷＯＰＴ）に応じて送出するＩＳＤＮアラーム通知コマンドおよびその値を、ＮＴ１電源断の場合について示す図である。
【図１１】実施例のＥＯＣ制御カードのＥＯＣ制御部の各交換機設定（ＳＷＯＰＴ）に応じて送出するＩＳＤＮアラーム通知コマンドおよびその値を、Ｔ点同期外れの場合について示す図である。
【図１２】実施例のＳＷインタフェースカードのＳＷインタフェース部の各交換機設定（ＳＷＯＰＴ）に応じて送出するＩＳＤＮアラームメッセージ規格を、交換機設定がＳＷＯＰＴ１の場合について示す図である。
【図１３】実施例のＳＷインタフェースカードのＳＷインタフェース部の各交換機設定（ＳＷＯＰＴ）に応じて送出するＩＳＤＮアラームメッセージ規格を、交換機設定がＳＷＯＰＴ２の場合について示す図である。
【図１４】実施例のＳＷインタフェースカードのＳＷインタフェース部の各交換機設定（ＳＷＯＰＴ）に応じて送出するＩＳＤＮアラームメッセージ規格を、交換機設定がＳＷＯＰＴ３の場合について示す図である。
【図１５】従来のＵＤＬＣネットワーク構成のリモート局交換システムを示す図である。
【図１６】従来のＩＤＬＣネットワーク構成のリモート局交換システムを示す図である。
【図１７】従来のＵＤＬＣネットワーク構成における２Ｂ＋Ｄ信号とＭチャネル信号との流れを説明するための図である。
【符号の説明】
【００６３】
１  加入者系伝送装置
２、２Ａ、２Ｂ、２Ｃ  ＴＲ３０３型デジタル交換機
３  ＴＲ０８型デジタル交換機
４、４Ａ、４Ｂ、４Ｃ  アナログ交換機
５  センタ局系伝送装置
６  ＮＴ１装置
７  ＩＳＤＮ加入者端末
１０  制御卓
１１  加入者系伝送装置の共通シェル（ＣＭＳ）
１２  加入者系伝送装置のナローバンドシェル（ＮＢＳ）
１３  共通シェル（ＣＭＳ）の多重／分離カード
１４  クロスコネクトカード
１５  ＳＷインタフェースカード
１６  ＥＯＣ制御カード
１７  ナローバンドシェル（ＮＢＳ）の多重／分離カード
１８  ＩＳＤＮチャネルカード
１９  アナログ交換機向けの多重／分離部
１５１〜１５３  ＳＷインタフェース部
１６１〜１６３  ＥＯＣ制御部
１６４  ＥＯＣ終端部
１６５、１８４  内部ＥＯＣ送受信部
１８１〜１８３  アラーム制御部
１８５  Ｕ点終端部
１８５１  Ｕ点同期外れ検出部
１８５２  ＮＴ１電源断検出部
１８５３  Ｔ点同期外れ検出部
１８５４  アラーム制御部切替部
【図１】
2006025466.tif 000003
【図２】
2006025466.tif 000004
【図３】
2006025466.tif 000005
【図４】
2006025466.tif 000006
【図５】
2006025466.tif 000007
【図６】
2006025466.tif 000008
【図７】
2006025466.tif 000009
【図８】
2006025466.tif 000010
【図９】
2006025466.tif 000011
【図１０】
2006025466.tif 000012
【図１１】
2006025466.tif 000013
【図１２】
2006025466.tif 000014
【図１３】
2006025466.tif 000015
【図１４】
2006025466.tif 000016
【図１５】
2006025466.tif 000017
【図１６】
2006025466.tif 000018
【図１７】
2006025466.tif 000019